(57)【要約】【課題】腸の下降が原因となる多くの症状を矯正できる矯正帯を提供する。【解決手段】腰に巻き付ける腸押し上げ帯１と、その腸押し上げ帯１に取り付けた２組の大腿部巻き帯２と、腸押し上げ帯１と大腿部巻き帯２に取り付けた２組の上昇阻止具３とで構成する。腸押し上げ帯１の端を下腹部の前で締結し、大腿部巻き帯２を背中側から股間を通し、その端を上昇阻止具３で腸押し上げ帯１に締結できるように構成する。【選択図】図１
2014064757.tif 000002
【特許請求の範囲】
【請求項１】
腰に巻き付ける腸押し上げ帯と、
その腸押し上げ帯に取り付けた２組の大腿部巻き帯と、
腸押し上げ帯と大腿部巻き帯に取り付けた２組の上昇阻止具とで構成し、
腸押し上げ帯の端を下腹部の前で締結し、
大腿部巻き帯を背中側から股間を通し、その端を上昇阻止具で腸押し上げ帯に締結できるように構成した、
腸の位置を矯正する矯正帯。
【発明の詳細な説明】
【技術分野】
【０００１】
本発明は人体の腸の位置を矯正する矯正帯に関するものである。
【背景技術】
【０００２】
腸は背骨の中ほど、胸椎と腰椎の境目付近からカーテン状の膜で腹腔内にぶら下がっており、腹腔内を動くことができる。
四本足歩行の動物では腸は胸のすぐ下、すなわち胴体の中ほどにあり、人間よりかなり上の位置であるが、人間は直立したために重力によって正常時でも骨盤付近まで腸が落ちている。
その上に、下記のような原因で腹壁がゆるむと腸が骨盤の前まで落ちてしまい、下腹が出ることになる。
＜１＞  運動不足や加齢により腹筋、腹膜が緩む場合。
＜２＞  運動や仕事において腹に力をいれ、腹圧を高めることの繰り返しで腸を下腹部へ押し下げる場合。
＜３＞  妊娠による腹壁のゆるみ、出産で腹圧を極限まで高め、育児での中腰や前屈姿勢の作業など、出産前後の体の負担により腸が下がる場合。
＜４＞  バイク、自動車、電車などの振動により下がる場合。
＜５＞  謡曲や歌唱、号令における大声の発声において腹に繰り返し力を入れる場合。
＜６＞  農業や自転車修理業のように、長時間しゃがんで作業をする場合。
＜７＞  事故や転倒などで強い衝撃が身体に作用した場合。
【先行技術文献】
【特許文献】
【０００３】
【特許文献１】特開２０１０−１１５３０３号公報
【特許文献２】特開２００９−１００８６５号公報
【発明の概要】
【発明が解決しようとする課題】
【０００４】
上記のような従来の矯正ベルトは腸の問題に着目したものではなく、骨盤の骨の位置の矯正を目的としたものであって、腸の位置を矯正するような発明は見当たらない。そのために依然として腸の異常によっては次のような問題が残っている。
＜１＞  腸が骨盤の前に落ちると、骨盤が腸を受ける力が作用しにくくなり、それに代わって腸の重みを背骨が受けることになる。そのために背骨に負担がかかる。また腸の重さを背中の筋肉で引き上げるため、首や肩、腰の筋肉が緊張する。
＜２＞  その結果、次のような症状が発生したり、その症状を増長させることになる。猫背、肩こり、四十肩、腰痛などの症状の増長、老人の腰の曲がりの増長、ひいては椎間板ヘルニアや脊柱管狭窄症を引き起こす原因の一つとなる。
＜３＞  また下腹部に腸が出るためにバランスよい歩行が困難となり、股関節や膝、足関節に負担をかける。そのような下半身への負担の増加のために、股関節の痛み、大腿骨の骨頭の障害、変形性膝関節症などの原因のひとつとなる。
＜４＞  さらに腸の重みが食道や気管を引っ張ることにより、いびき、嚥下障害を増長させる。
＜５＞  腸の軽度の落ち込みでは、明確な自覚症状は生じないが、スポーツを行った時の身体のスムーズな動きを阻害する。
＜６＞  さらに特許文献に記載したようなバンドや帯によって下腹部を圧迫する方法も考えられるが、それらは立っている状態でのみ有効であって、椅子に座ったり、しゃがんだり、運転中はバンドや帯が上に上がってしまい、まったく効果がないことが分かっている。
＜７＞  またバンドや帯は細身の人では下腹部からずれ上がり使用できない。
＜８＞  腹圧を高めるコルセットも市販されているが、それらは腹部の比較的高い位置を圧迫してその結果、腸を下に押しだしてしまい、本発明の構成や目的とは異なるものである。
＜９＞  また帯ではないが、腹部に大判のマットを当てる製品が市販されているが、それらは直立時には下腹部への締め付けがなく、背骨の曲がった老人や、屈む仕事をする人への腰椎後弯を防止するものであり、やはり本発明の構成や目的とは異なる。
＜１０＞  サポートタイツと称する、弾力で身体を加圧するものは、腸の位置の矯正には使えない。なぜなら下腹部の圧迫は腹圧を跳ね返す必要があるから、伸縮性の良い素材で構成したものでは圧迫することができず、腸の位置の矯正にならないからである。
＜１１＞  相撲のまわしや六尺ふんどしは、どのような姿勢でも下腹部を圧迫できるが、現代のズボンの生活には不向きであり、用便が簡単にできない。また股間の中央には尾骨、肛門、尿道、陰部など重要な器官が並んでおりそれを強く圧迫すると障害を起こす。
【課題を解決するための手段】
【０００５】
上記のような課題を解決する本発明の腸の位置を矯正する矯正帯は、腸押し上げ帯と、その腸押し上げ帯に取り付けた２組の大腿部巻き帯と、腸押し上げ帯と大腿部巻き帯に取り付けた２組の上昇阻止具とで構成し、腸押し上げ帯の端を下腹部の前で締結し、  一方、大腿部巻き帯の端を上昇阻止具で腸押し上げ帯と締結しうるように構成したことを特徴としたものである。
【発明の効果】
【０００６】
本発明の腸の位置を矯正する矯正帯は以上説明したようになるから次のような効果のいくつかを得ることができる。
＜１＞  本発明の矯正帯は、その使用によって下腹部を圧迫して骨盤の上に腸を戻す機能を有する。その結果、多数の種類の症状が改善される。
＜２＞  下腹部を圧迫した状態で適度な運動を行うとゆるんだ腹筋や腹膜が回復し、腸が徐々に骨盤の上に戻り、下腹部のでっぱりを改善することができる。
＜３＞  下腹部の圧迫は、バンドや帯、サポートタイツ、ガードルでも行うことができる。しかし前記した様にそれらのバンドなどは、立っている状態のみで有効であり、運転中や仕事中など椅子へ座るとその位置が上に上がってしまいまったく効果がないことが分かっている。また、サポートタイツやガードルは腹部全体を圧迫するために作られているので、下腹部を圧迫する力が弱く、同時に腹部の上部や中部も圧迫するので腸を下腹部へ押し出してしまうという弊害もある。
＜４＞  また市販の腹圧を高めるベルトや腰椎の後弯防止のコルセットなどでも、腹部の比較的高い位置を圧迫することによって腸が下方へ押し出される、という弊害を備えている。
＜５＞  その点、本発明の矯正帯では、大腿部巻き帯が大腿部を巻いて前後で腸押し上げ帯に取り付けてあるので、椅子や自動車の座席に座ったときでも腸押し上げ帯の位置がずれることがなく、下腹部を下から押し上げる機能が失われることがない。
＜６＞  発明者の治療院で数人の患者に実験的に使用してもらったところ、四十肩で完全に腕が上がらなかった人が、自由に上げることができるようになった。また首の動きや肩こり、腰痛の症状が、本発明の矯正帯を着けていると症状がなくなり、矯正帯を外すと元に戻ってしまう、という発明者自身が驚くような結果が得られている。
＜７＞  また発明者は柔道の教師であるので、複数の３０代以上の門人にこの矯正帯を着けて稽古をさせてみたところ、腰の動き、肩、膝の動きが良くなり、その結果技の切れが良くなって運動能力が上がったとの報告があった。
＜８＞  本発明の矯正帯は、陰部を覆わず脱着が楽で用便の妨げにならない。同時に需要な器官が並んでいる股間を圧迫することがなく、それに起因する障害が発生しない。
【図面の簡単な説明】
【０００７】
【図１】本発明の腸の位置を矯正する矯正帯の実施例の展開図。
【図２】矯正帯の使用状態の正面図。
【図３】矯正帯の使用状態の側面図。
【図４】腸が下がってくる状態の説明図。
【発明を実施するための形態】
【０００８】
以下図面を参照にしながら本発明の腸の位置を矯正する矯正帯の好適な実施の形態を詳細に説明する。
【実施例】
【０００９】
＜１＞全体の構成
本発明の矯正帯は、腸押し上げ帯１と、その腸押し上げ帯１に取り付けた２組の大腿部巻き帯２と、上昇阻止具３とで構成する。
【００１０】
＜２＞腸押し上げ帯
腸押し上げ帯１は１本の柔軟な材料で構成した、腰へ巻き付けて腸を押し上げるための幅の広い帯である。
この腸押し上げ帯１の端部には締結するためのバックル４などを取り付けて、腰のまわりへの着用を容易にする。
このように腸押し上げ帯１の端部のバックル４などの締結部を下腹部の前で締結して締め付けることによって、腸を背骨方向に向け、かつ上向きに押し上げることができる。
【００１１】
＜３＞大腿部巻き帯
腸押し上げ帯１を腰に巻き付けた場合の側面、あるいは後面には、大腿部巻き帯２の一端を固定して取り付ける。
大腿部巻き帯２も柔軟な材料で構成した帯であり、２本を腸押し上げ帯１の対象位置に取り付ける。
すなわち、２本の大腿部巻き帯２の一端を、縫い付けるなどの方法で押し上げ帯１の対象位置に取り付ける。
一端を腸押し上げ帯１に取り付けた大腿部巻き帯２の他端には、後述する上昇阻止具３を取りつける。
【００１２】
＜４＞上昇阻止具
腸押し上げ帯１には、２か所の対象位置に上昇阻止具３を取りつける。
この上昇阻止具３は、市販の金属製、合成樹脂製の２個を一組として係合、解体、および長さ調整が容易な締結具である。
この上昇阻止具３の１個を腸押し上げ帯１に取り付ける。
この上昇阻止具３の他の１個を、大腿部巻き帯２の自由端に取り付ける。
上昇阻止具３の２個を一体とし、大腿部巻き帯２の自由端を引き出して長さ調整を行えば、運動中における腸押し上げ帯１の上昇を阻止することができる。
この上昇阻止具３は、公知のベルトのバックル４やマジックテープ（登録商標）などと称する面接着体などを利用することもできる。
【００１３】
＜５＞装着方法
次に本発明の矯正帯の装着方法を説明する。
【００１４】
＜６＞腸押し上げ帯の装着
装着者は、腸押し上げ帯１を通常のベルトのように腰の周囲に回し、前部を下腹部に位置させてバックル４などで締結する。
次にバックル４部分で長さを調整することによって、腸押し上げ帯１の前面が下腹部を圧迫するように締め付けることになる。
この締付けによって腸を下から斜め上方の背骨の方向に押し上げることができる。
【００１５】
＜７＞大腿部巻き帯による締付け
腸押し上げ帯１がしっかりと腰の位置に決まったら、背面にある大腿部巻き帯２の自由端の上昇阻止具３を取り、背後から股の間を通して前側の上昇阻止具３と組み合わせて一体化する。
大腿部巻き帯２の自由端を上昇阻止具３から引き出して引き絞れば、大腿部に確実に巻き付けることができる。
その結果、座り姿勢になっても腸押し上げ帯１がずり下がる、あるいは上がるといった不都合が生じることがなく、常に下腹部に位置する腸押し上げ帯１が腸を押し上げる状態を維持することができる。
【符号の説明】
【００１６】
１：腸押し上げ帯
２：大腿部巻き帯
３：上昇阻止具
４：バックル
【図１】
2014064757.tif 000003
【図２】
2014064757.tif 000004
【図３】
2014064757.tif 000005
【図４】
2014064757.tif 000006